(57)【特許請求の範囲】
【請求項１】
加熱される定着ベルトと、この定着ベルトに圧接されて当該圧接部にて定着ニップ部を構成する回転体とを有し、これら定着ベルトと回転体のうち一方が駆動され、他方が従動し、トナー画像が形成された記録材を、前記定着ベルトと回転体との圧接部の中央部に通して、前記トナー画像を加熱溶融し記録材上に定着させる定着器であって、
前記定着ニップ部を構成する圧接部における定着ベルトの両端部に、テープ状の高グリップ部材が巻き付けられて固着されており，かつ，前記定着ベルトは，無端状のベルト基体の幅方向における中央部の表面に，前記定着ニップ部を構成する表層が被覆されているとともに，前記無端状のベルト基体の幅方向における両端部に、前記テープ状の高グリップ部材が巻き付けられて固着された定着ベルトであり，
前記定着ベルトの表面に離型オイルを塗布するオイル塗布手段が設けられているとともに、前記テープ状の高グリップ部材が、オイル吸収性を有していることを特徴とするベルト定着器。
【請求項２】
加熱される定着ベルトと、この定着ベルトに圧接されて当該圧接部にて定着ニップ部を構成する回転体とを有し、これら定着ベルトと回転体のうち一方が駆動され、他方が従動し、トナー画像が形成された記録材を、前記定着ベルトと回転体との圧接部の中央部に通して、前記トナー画像を加熱溶融し記録材上に定着させる定着器であって、
前記定着ニップ部を構成する圧接部における定着ベルトの両端部に、テープ状の高グリップ部材が巻き付けられて固着されており，かつ，前記定着ベルトは，無端状のベルト基体の幅方向における中央部の表面に，前記定着ニップ部を構成する表層が被覆されているとともに，前記無端状のベルト基体の幅方向における両端部に、前記テープ状の高グリップ部材が巻き付けられて固着された定着ベルトであり，
前記定着ベルトの表面に離型オイルを塗布するオイル塗布手段が設けられているとともに、前記テープ状の高グリップ部材が、オイル吸収性およびベルト周方向へのオイル流動性を有する材料で構成されていることを特徴とするベルト定着器。
【請求項３】
加熱される定着ベルトと、この定着ベルトに圧接されて当該圧接部にて定着ニップ部を構成する回転体とを有し、これら定着ベルトと回転体のうち一方が駆動され、他方が従動し、トナー画像が形成された記録材を、前記定着ベルトと回転体との圧接部の中央部に通して、前記トナー画像を加熱溶融し記録材上に定着させる定着器であって、
前記定着ニップ部を構成する圧接部における定着ベルトの両端部に、テープ状の高グリップ部材が巻き付けられて固着されており，かつ，前記定着ベルトは，無端状のベルト基体の幅方向における中央部の表面に，前記定着ニップ部を構成する表層が被覆されているとともに，前記無端状のベルト基体の幅方向における両端部に、前記テープ状の高グリップ部材が巻き付けられて固着された定着ベルトであり，
前記定着ベルトの表面に離型オイルを塗布するオイル塗布手段が設けられているとともに、前記テープ状の高グリップ部材がオイル通過性を有しており、かつオイル吸収性を有する接着層を介してベルトの両端部に固着されていることを特徴とするベルト定着器。
【請求項４】
前記テープ状の高グリップ部材の巻き付け始端部と終端部とがベルト基体上で微少間隔を有し対向することを特徴とする請求項１または２または３記載のベルト定着器。
【請求項５】
前記テープ状の高グリップ部材の巻き付け始端部と終端部とが、ベルト基体上で、ベルトの幅方向に対して、互いに同様に傾斜して、微少間隔を有し対向することを特徴とする請求項１または２または３記載のベルト定着器。
【請求項６】
前記テープ状の高グリップ部材は、布で構成されていることを特徴とする請求項１，２，３，４，または５記載のベルト定着器。
【発明の詳細な説明】
【０００１】
【発明の属する技術分野】
本発明は、電子写真技術を用いて用紙等の記録材にトナー画像を形成することのできるプリンター、ファクシミリ、複写機等の画像形成装置に用いられる定着器、より詳しくは加熱される定着ベルトを用いたベルト定着器に関するものである。
【０００２】
【従来の技術】
一般に、電子写真技術を用いて用紙等の記録材上にトナー画像を形成する画像形成装置は、回転駆動される感光体と、この感光体に露光して表面に静電潜像を形成する露光手段と、前記静電潜像を現像してトナー画像となす現像手段と、そのトナー画像を記録材に転写させる転写手段と、この転写手段によりトナー画像が転写された記録材を通過させつつ加熱して記録材上にトナー画像を定着させる定着器とを有している。
【０００３】
定着器は、通常、加熱される回転体と、これに圧接されている回転体とを有しており、これら両回転体によって、通過する記録材を挟圧しつつ加熱し、記録材上のトナー画像を記録材上に溶融定着させるようになっている。
このような定着器においては、２つの回転体に周速差があると、その挟圧部（圧接部）を通過する記録材上のトナー画像に擦れが生じて画像が乱れることから、２つの回転体とも駆動するということはなされておらず、一方の回転体のみを駆動し、他方の回転体はこれに従動させる構成が採用されている。
また、加熱される回転体がローラであると、その初期的な加熱に長時間を要することから、加熱される回転体を無端ベルト（定着ベルト）として、その初期的加熱時間を短縮したベルト定着器が知られている。
【０００４】
図１１はベルト定着器の第１例を示す図である（特開平９−１３８６００号公報）。
このベルト定着器は、無端状の耐熱ベルト６と、このベルト６をその内側から支持するローラ７ａ，７ｂと、ベルト６を加熱するローラ８と、ベルト６の外周面に接する加圧ローラ９とを有しており、加圧ローラ９がモータＭで矢印ａ方向に回転駆動され、ベルト６が加圧ローラ９に従動する。
トナー画像が形成された記録材は、ベルト６と加圧ローラ９との圧接部Ｎに矢印ｂで示すように供給され、圧接部Ｎを通ることでトナー画像が加熱溶融されて記録材上に定着させられる。
図１２はベルト定着器の第２例を示す図である（特開平８−３３４９９７号公報）。
このベルト定着器は、回転駆動される定着ローラ２と、ヒータを内蔵した加熱ローラ３との間に定着ベルト１を巻掛け張架し、定着ベルト１を介して定着ローラ２に加圧ローラ４を圧接させ、この圧接部Ｎに、トナー画像Ｔが形成された記録材Ｓを図示矢印方向に通し、前記トナー画像Ｔを加熱溶融して記録材Ｓ上に定着させるようになっている。
また、この定着器は、記録材上のトナーが定着ベルト１の表面に転移してしまうという現象（いわゆるオフセット現象）を防止するために、定着ベルト１の表面に離型剤としてシリコーンオイル等の離型オイルを塗布するオイル塗布ローラ５を備えている。
【０００５】
【発明が解決しようとする課題】
図１１に示した従来のベルト定着器では、回転駆動される加圧ローラ９とこれに従動するベルト６との圧接部Ｎに、比較的滑り易い記録材、例えば、合成樹脂製シートが供給されると、この滑り易い記録材の介在によって、駆動側の加圧ローラ９と記録材との間および／または記録材と従動側のベルト６との間でスリップが生じ、そのために加圧ローラ９とベルト６との間に周速差が生じ、結果として安定した定着動作がなされなくなってしまうおそれがある。
同様に、図１２に示した従来のベルト定着器では、定着ローラ２で駆動されるベルト１とこれに従動する加圧ローラ４との圧接部Ｎに、比較的滑り易い記録材が供給されると、この滑り易い記録材の介在によって、駆動側のベルト１と記録材との間および／または記録材と従動側の加圧ローラ４との間でスリップが生じ、そのためにベルト１と加圧ローラ４との間に周速差が生じ、結果として安定した定着動作がなされなくなってしまうおそれがある。
特に、図１２に示したベルト定着器では、ベルト１の表面に離型オイルが塗布されるので、上記スリップが助長される。また、ベルト１の表面に塗布されたオイルは前記圧接部Ｎの端部Ｎ’に徐々に侵入し、当該端部Ｎ’における定着ローラ２と加圧ローラ４との摩擦力を低減させるので、上記スリップがより一層助長されることとなる。
本発明の目的は、以上のような問題を解決し、安定した定着動作がなされるベルト定着器を提供することにある。
【０００６】
【課題を解決するための手段】
上記目的を達成するために請求項１記載のベルト定着器は、加熱される定着ベルトと、この定着ベルトに圧接されて当該圧接部にて定着ニップ部を構成する回転体とを有し、これら定着ベルトと回転体のうち一方が駆動され、他方が従動し、トナー画像が形成された記録材を、前記定着ベルトと回転体との圧接部の中央部に通して、前記トナー画像を加熱溶融し記録材上に定着させる定着器であって、
前記定着ニップ部を構成する圧接部における定着ベルトの両端部に、テープ状の高グリップ部材が巻き付けられて固着されており，かつ，前記定着ベルトは，無端状のベルト基体の幅方向における中央部の表面に，前記定着ニップ部を構成する表層が被覆されているとともに，前記無端状のベルト基体の幅方向における両端部に、前記テープ状の高グリップ部材が巻き付けられて固着された定着ベルトであり，
前記定着ベルトの表面に離型オイルを塗布するオイル塗布手段が設けられているとともに、前記テープ状の高グリップ部材が、オイル吸収性を有していることを特徴とする。
請求項２記載のベルト定着器は，加熱される定着ベルトと、この定着ベルトに圧接されて当該圧接部にて定着ニップ部を構成する回転体とを有し、これら定着ベルトと回転体のうち一方が駆動され、他方が従動し、トナー画像が形成された記録材を、前記定着ベルトと回転体との圧接部の中央部に通して、前記トナー画像を加熱溶融し記録材上に定着させる定着器であって、
前記定着ニップ部を構成する圧接部における定着ベルトの両端部に、テープ状の高グリップ部材が巻き付けられて固着されており，かつ，前記定着ベルトは，無端状のベルト基体の幅方向における中央部の表面に，前記定着ニップ部を構成する表層が被覆されているとともに，前記無端状のベルト基体の幅方向における両端部に、前記テープ状の高グリップ部材が巻き付けられて固着された定着ベルトであり，
前記定着ベルトの表面に離型オイルを塗布するオイル塗布手段が設けられているとともに、前記テープ状の高グリップ部材が、オイル吸収性およびベルト周方向へのオイル流動性を有する材料で構成されていることを特徴とする。
請求項３記載のベルト定着器は，加熱される定着ベルトと、この定着ベルトに圧接されて当該圧接部にて定着ニップ部を構成する回転体とを有し、これら定着ベルトと回転体のうち一方が駆動され、他方が従動し、トナー画像が形成された記録材を、前記定着ベルトと回転体との圧接部の中央部に通して、前記トナー画像を加熱溶融し記録材上に定着させる定着器であって、
前記定着ニップ部を構成する圧接部における定着ベルトの両端部に、テープ状の高グリップ部材が巻き付けられて固着されており，かつ，前記定着ベルトは，無端状のベルト基体の幅方向における中央部の表面に，前記定着ニップ部を構成する表層が被覆されているとともに，前記無端状のベルト基体の幅方向における両端部に、前記テープ状の高グリップ部材が巻き付けられて固着された定着ベルトであり，
前記定着ベルトの表面に離型オイルを塗布するオイル塗布手段が設けられているとともに、前記テープ状の高グリップ部材がオイル通過性を有しており、かつオイル吸収性を有する接着層を介してベルトの両端部に固着されていることを特徴とする。
請求項４記載のベルト定着器は、請求項１または２または３記載のベルト定着器において、前記テープ状の高グリップ部材の巻き付け始端部と終端部とがベルト基体上で微少間隔を有し対向することを特徴とする。
請求項５記載のベルト定着器は、請求項１または２または３記載のベルト定着器において、前記テープ状の高グリップ部材の巻き付け始端部と終端部とが、ベルト基体上で、ベルトの幅方向に対して、互いに同様に傾斜して、微少間隔を有し対向することを特徴とする。
請求項６記載のベルト定着器は、請求項１，２，３，４，または５記載のベルト定着器において、前記テープ状の高グリップ部材は、布で構成されていることを特徴とする。
【０００７】
【作用効果】
請求項１記載のベルト定着器によれば、トナー画像が形成された記録材が、一方が駆動され他方が従動する、加熱される定着ベルトとこの定着ベルトに圧接される回転体との圧接部の中央部を通過することにより、前記トナー画像が加熱溶融されて記録材上に定着させられる。
そして、前記定着ベルトの両端部には、テープ状の高グリップ部材が巻き付けられて固着されているので、定着ベルトの両端部には、前記回転体に対する高グリップ部が形成されることとなる。
したがって、上記定着ベルトと回転体との圧接部の中央部に、比較的滑り易い記録材が供給され、この滑り易い記録材の介在によって、駆動側の定着ベルト（または回転体）と記録材との間および／または記録材と従動側の回転体（または定着ベルト）との間でスリップが生じそうになったとしても、前記高グリップ部の作用によって駆動側の定着ベルト（または回転体）に対する従動側の回転体（または定着ベルト）の従動性が向上し、定着ベルトと回転体とが略同一の周速で回転することとなる。このため、上記スリップが防止され（少なくとも著しく生じ難くなり）、結果として安定した定着動作がなされることとなる。したがってまた、記録材上のトナー画像に擦れが生じにくくなって画像乱れがほとんど生じなくなる。
しかも、前記高グリップ部は、定着ベルトの両端部に、テープ状の高グリップ部材を巻き付けて固着するだけで構成することができるので、例えばベルトの端部にリング状の高グリップ部材を嵌め合わせて固着したり、ベルトの端部自体を、これが高グリップ部となるように加工したりする場合に比べて定着ベルトの製造が簡単になる。
請求項２記載のベルト定着器によれば、請求項１記載のベルト定着器において、前記テープ状の高グリップ部材の巻き付け始端部と終端部とが重なり合っていないので、さらに次のような作用効果が得られる。
すなわち、仮に、テープ状の高グリップ部材の巻き付け始端部と終端部とが重なり合っていたとすると、その重畳部分が厚くなるため、この重畳部分が回転体と圧接している時期とそれ以外の時期とで、従動側の定着ベルト（または回転体）に速度変動が生じるおそれがある。
また、前記重畳部分が回転体に圧接した際には、前記重畳部分と対向する部位において回転体に応力が集中することとなるので、回転体の耐久性が低下してしまうおそれがある。
これに対し、この請求項２記載のベルト定着器によれば、前記テープ状の高グリップ部材の巻き付け始端部と終端部とが重なり合っていないので、従動側の定着ベルト（または回転体）に速度変動が生じ難くなるとともに、回転体に応力が集中し難くなって、回転体の耐久性も低下し難くなる。
請求項３記載のベルト定着器によれば、請求項１または２記載のベルト定着器において、前記テープ状の高グリップ部材の巻き付け始端部と終端部とが、相対向して傾斜しているので、さらに次のような作用効果が得られる。
すなわち、仮に、テープ状の高グリップ部材の巻き付け始端部と終端部とが傾斜（例えばベルトまたは回転体の軸線方向に対して傾斜し）していないとすると、前記始端部と終端部との間に形成されている隙間部分が回転体と圧接している時期とそれ以外の時期とで、従動側の定着ベルト（または回転体）に速度変動が生じるおそれがある。
これに対し、この請求項３記載のベルト定着器によれば、前記テープ状の高グリップ部材の巻き付け始端部と終端部とが、相対向して傾斜しているので、従動側の定着ベルト（または回転体）に速度変動が生じ難くなる。
請求項４記載のベルト定着器によれば、請求項１，２，または３記載のベルト定着器において、前記テープ状の高グリップ部材は布で構成されているので、その高グリップ部材の表面は、布を形成する糸体（織られまたは編まれ等した糸体）によって細かな凹凸状となり、この凹凸は前記表面に略均一に広がった状態となる。
したがって、定着ベルトの両端部における駆動伝達で発生する振動および速度変動が非常に少なくなり、結果としてスムーズな駆動伝達がなされることとなる。
また、前記凹凸は、糸体で形成されるので、その凸部は丸みをおびている。したがって、回転体における応力集中が軽減され、回転体の耐久性が向上することとなる。
さらに、テープ状の高グリップ部材を、例えば凹凸を有するフィルムやゴム部材等で構成した場合に比べて、強度的（特に剪断力に対する強度）にも優れたものとなる。
すなわち、高グリップ部材が例えばフィルムやゴム部材等で構成されている場合には、その端縁部に剪断力が加わると、先ず、端縁部にクラックが入り、次いでこれが急速に伝播拡大して裂けてしまうが、高グリップ部材が布で構成されている場合には、端縁部の繊維にクラックが入ってこれが破断しても、この破断が伝播するということがなく、１本の繊維破断にとどまることとなる。
したがってまた、例えば、定着ベルトの蛇行を、定着ベルトが張架されるローラのフランジ（ガイドリング）の内側面にベルトの端縁部を当接させて規制しようとする場合には、ベルトの端縁部に作用する剪断力が大きなものとなるが、定着ベルトの両端部に布で構成された高グリップ部材が設けられていると、高グリップ部材の破断が生じ難くなるとともに、ベルト全体への破断の伝播も生じ難くなる。
請求項５記載のベルト定着器によれば、請求項１，２，３，または４記載のベルト定着器において、前記定着ベルトの表面に離型オイルを塗布するオイル塗布手段が設けられているので、オフセット現象が生じ難くなる。
前述したように、定着ベルトの表面に離型オイルが塗布される構成とすると、このオイルが定着ベルトと回転体との圧接部の端部に徐々に侵入して行くこととなるが、この請求項５記載のベルト定着器によれば、定着ベルトの両端部に、テープ状の高グリップ部材が巻き付けられて固着されているとともに、このテープ状の高グリップ部材がオイル吸収性を有しているので、前記圧接部の端部に侵入していったオイルは、前記テープ状の高グリップ部材によって吸収されることとなる。
したがって、定着ベルト両端部の表面、すなわち高グリップ部材の表面に存在するオイルの量は僅かなものとなり、結果として圧接部両端におけるグリップ力が確保され、上記スリップが防止されて（少なくとも著しく生じ難くなって）、安定した定着動作がなされることとなる。
すなわち、この請求項５記載のベルト定着器によれば、定着ベルトの表面に離型オイルを塗布するものであるにもかかわらず、安定した定着動作を得ることが可能となる。
請求項６記載のベルト定着器によれば、請求項１，２，または３記載のベルト定着器において、前記定着ベルトの表面に離型オイルを塗布するオイル塗布手段が設けられているので、オフセット現象が生じ難くなる。
また、定着ベルトの両端部に、テープ状の高グリップ部材が巻き付けられて固着されているとともに、このテープ状の高グリップ部材がオイル吸収性およびベルト周方向へのオイル流動性を有する材料で構成されているので、前記圧接部の端部に侵入していったオイルは、前記テープ状の高グリップ部材によって吸収されることとなる。
したがって、定着ベルト両端部の表面、すなわち高グリップ部材の表面に存在するオイルの量は僅かなものとなり、結果として圧接部両端におけるグリップ力が確保され、上記スリップが防止されて（少なくとも著しく生じ難くなって）、安定した定着動作がなされることとなる。
すなわち、この請求項６記載のベルト定着器によれば、定着ベルトの表面に離型オイルを塗布するものであるにもかかわらず、安定した定着動作を得ることが可能となる。
しかも、前記テープ状の高グリップ部材がベルト周方向へのオイル流動性を有する材料で構成されているので、仮に高グリップ部材がオイルで飽和状態となったとしても、この高グリップ部材内に吸収されたオイルは、前記圧接部においては、その圧接力によってベルト周方向において当該圧接部以外の部位へと排除されることとなる。
したがって、仮に高グリップ部材がオイルで飽和状態となったとしても、圧接部においては、定着ベルト両端部の表面に存在するオイルの量が僅かなものとなり、結果として圧接部両端におけるグリップ力が確保され、上記スリップが防止されて（少なくとも著しく生じ難くなって）、安定した定着動作がなされることとなる。
請求項７記載のベルト定着器によれば、請求項１，２，３，４，５，または６記載のベルト定着器において、前記定着ベルトの表面に離型オイルを塗布するオイル塗布手段が設けられているので、オフセット現象が生じ難くなる。
また、定着ベルトの両端部に、テープ状の高グリップ部材が巻き付けられて固着されているとともに、このテープ状の高グリップ部材がオイル通過性を有しており、かつオイル吸収性を有する接着層を介してベルトの両端部に固着されているいるので、前記圧接部の端部に侵入していったオイルは、前記テープ状の高グリップ部材を経て前記接着層によって吸収されることとなる。
したがって、定着ベルト両端部の表面に存在するオイルの量は僅かなものとなり、結果として圧接部両端におけるグリップ力が確保され、上記スリップが防止されて（少なくとも著しく生じ難くなって）、安定した定着動作がなされることとなる。
すなわち、この請求項７記載のベルト定着器によれば、定着ベルトの表面に離型オイルを塗布するものであるにもかかわらず、安定した定着動作を得ることが可能となる。
【０００８】
【発明の実施の形態】
以下、本発明の実施の形態について図面を参照して説明する。
＜第１の実施の形態＞
図１は本発明に係るベルト定着器の第１の実施の形態を示す概略側面図、図２は主要部の概略斜視図である。
【０００９】
この定着器１００は、加熱される定着ベルト１１０と、この定着ベルト１１０に圧接される回転体としての加圧ローラ１２０とを有し、トナー画像（図示せず）が形成された記録材Ｓを、矢印Ｓ１で示すように定着ベルト１１０と加圧ローラ１２０との圧接部Ｎの中央部Ｎ１に通して、トナー画像を加熱溶融し記録材Ｓ上に定着させるようになっている。
この実施の形態の定着器１００は、前記圧接部Ｎにおいて定着ベルト１１０を内方から支持するバックアップ部材としてのバックアップローラ１３０と、定着ベルト１１０を加熱する加熱手段としての加熱ローラ１４０とを有しており、定着ベルト１１０は、バックアップローラ１３０と加熱ローラ１４０との間に張架されている。
１５０はオイル塗布手段としてのオイル塗布ローラであり、定着ベルト１１０の表面に離型オイルを塗布するようになっている。
【００１０】
これら定着ベルト１１０および各ローラを回転させるための駆動ローラとしては、オイル塗布ローラ１５０以外のローラであればどのローラを用いることもできるが、この実施の形態では、加圧ローラ１２０を駆動ローラとして用いている。
すなわち、加圧ローラ１２０は、図示しない駆動手段によって図１の矢印方向（反時計方向）に回転駆動され、バックアップローラ１３０、定着ベルト１１０、加熱ローラ１４０、およびオイル塗布ローラ１５０が従動するようになっている。具体的には、加圧ローラ１２０に対して定着ベルト１１０およびバックアップローラ１３０が圧接されていることにより、定着ベルト１１０およびバックアップローラ１３０が加圧ローラ１２０に従動し、定着ベルト１１０が加熱ローラ１４０に巻き掛けられていることにより、加熱ローラ１４０が定着ベルト１１０に従動し、定着ベルト１１０に対してオイル塗布ローラ１５０が圧接されていることにより、オイル塗布ローラ１５０が定着ベルト１１０に従動するようになっている。
図１において、１１１はバックアップローラ１３０への巻掛け部における定着ベルト１１０の表面温度を検出するためのサーミスタである。このサーミスタ１１１は加圧ローラ１２０との圧接部Ｎの上流側に設けられている。
【００１１】
バックアップローラ１３０は、金属製の芯材１３１と、この芯材１３１の表面に設けられた比較的肉厚の弾性層１３２とを有しており、芯材１３１の軸１３１ａで定着器１００のフレームの側板１０１に対して回転可能に支持されている。加熱ローラ１４０は、熱伝導性に優れた材料（例えばアルミニウム）でパイプ状に形成されており、その内部に熱源であるハロゲンランプ１４１が配置されている。この加熱ローラ１４０は、定着ベルト１１０の巻掛け部において定着ベルト１１０を急速に加熱することが可能である。この実施の形態の加熱ローラ１４０はテンションローラとして構成されており、図示しない適宜の付勢手段で定着ベルト１１０の張り方向に付勢されている。なお、図１において、１４３は加熱ローラ１４０の温度を検出するためのサーミスタである。
【００１２】
加圧ローラ１２０は、パイプ状の熱伝導性に優れた芯材１２１と、この芯材１２１の表面に設けられた比較的肉薄で前記バックアップローラ１３０の弾性層１３２よりは硬い弾性層１２２と、この弾性層１２２の表面に形成された、記録材およびトナーに対する剥離性に優れた表層１２２ａとを備え、芯材１２１の内部に熱源であるハロゲンランプ１２３が配置されている。
加圧ローラ１２０は、定着器１００のフレーム側板１０１に対して回転可能に支持されており、この定着器１００が取り付けられる画像形成装置本体（図示せず）に設けられた図示しない駆動手段によって図１の矢印方向（反時計方向）に回転駆動される。なお、加圧ローラ１２０は、その半径方向へは移動不能に取り付けられており、弾性層１２２および前記バックアップローラ１３０の弾性層１３２の弾性力で、定着ベルト１１０を介してバックアップローラ１３０に圧接されている。その圧接部Ｎは、バックアップローラ１３０の弾性層１３２が加圧ローラ１２０の弾性層１２２よりも肉厚で柔らかいことから、バックアップローラ１３０側に凸状に形成される。図１において、１２４は加圧ローラ１２０の表面温度を検出するためのサーミスタである。
【００１３】
フレーム１０１には、図示しない画像形成装置の転写部でトナー画像が形成（転写）された記録材Ｓを定着ベルト１１０と加圧ローラ１２０との圧接部（ニップ部）Ｎの中央部Ｎ１に導く、ガイド１０２が設けられている。また、圧接部Ｎの下流側には、排紙ローラ対１０３と、定着後の記録材Ｓを図示しない画像形成装置の排紙経路に導くガイド１０４とが設けられている。なお、上記各サーミスタは、図示しない画像形成装置の制御部に接続されており、各サーミスタからの検出温度に応じ、制御部によって前記各熱源１２３，１４１への通電量が制御されるようになっている。
【００１４】
この実施の形態の主な特徴は定着ベルト１１０の構造にあるので、それについて説明する。
図３（ａ）は定着ベルト１１０（バックアップローラ１３０と加熱ローラ１４０との間に張架される前の状態の定着ベルト１１０）の部分斜視図、（ｂ）はテープ状の高グリップ部材の正面図、図４（ａ）は図３におけるＩＶａ−ＩＶａ断面図である。
【００１５】
定着ベルト１１０は耐熱性のベルトであり、無端状のベルト基体１１２と、このベルト基体１１２の幅方向（図２において左右方向であり各ローラの軸線方向）における中央部１１２ａの表面に被覆された表層１１３とを備えており、両端部１１２ｂには、テープ状の高グリップ部材Ｇが巻き付けられて固着されている。
ベルト基体１１２は、例えば導電性を有するポリイミドで構成する。
表層１１３は、ベルト基体１１２の幅方向における中央部１１２ａに高離型材料（記録材およびトナーに対する剥離性に優れた材料であり、例えばシリコーンゴム）をコーティングすることによって形成してある。
テープ状の高グリップ部材Ｇは、後述する種々の材料ないし構造のものを用いることができるが、その他、単に表面に凹凸を有する高摩擦材料（例えば、ゴム等）からなるテープを用いることもできる。
この実施の形態では、図３（ｂ）に示すようなテープ状高グリップ部材Ｇを、ベルト基体１１２の端部１１２ｂにその周方向に沿って、接着剤を介して巻き付けて接着剤で固着してある。
また、この実施の形態では、図３（ａ）および図４（ａ）に示すように、テープ状高グリップ部材Ｇの巻き付け始端部Ｇ１と終端部Ｇ２とが重なり合わないように巻き付けて固着してある。したがって、巻き付け始端部Ｇ１と終端部Ｇ２との間には、多少の隙間Ｌが形成されるが、この隙間Ｌは極力少なくする（少なくとも定着ベルト１１０と加圧ローラ１２０との圧接部Ｎの周方向長さよりも短くする）ことが望ましい。
なお、図４（ｂ）に示すように、巻き付け始端部Ｇ１と終端部Ｇ２とが重なり合うように巻き付けて固着してもかまわないが、このようにすると、巻き付け始端部Ｇ１と終端部Ｇ２との重畳部分Ｇ３が厚くなるため、この重畳部分Ｇ３が加圧ローラ１２０と圧接している時期とそれ以外の時期とで、従動側の定着ベルト１１０に速度変動が生じるおそれがあり、また、前記重畳部分Ｇ３が加圧ローラ１２０に圧接した際には、重畳部分Ｇ３と対向する部位において加圧ローラ１２０に応力が集中して加圧ローラ１２０の耐久性が低下してしまうおそれがあるので、望ましくはない。
【００１６】
この実施の形態による定着器１００によれば、次のような作用効果が得られる。
（ａ）トナー画像が形成された記録材Ｓが、一方が駆動され他方が従動する、加熱される定着ベルト１１０とこの定着ベルト１１０に圧接される回転体としての加圧ローラ１２０との圧接部Ｎの中央部Ｎ１を通過することにより、前記トナー画像が加熱溶融されて記録材Ｓ上に定着させられる。
そして、定着ベルト１１０の両端部には、テープ状の高グリップ部材Ｇが巻き付けられて固着されているので、定着ベルト１１０の両端部には、加圧ローラ１２０に対する高グリップ部（Ｇ）が形成されることとなる。
したがって、定着ベルト１１０と加圧ローラ１２０との圧接部Ｎの中央部Ｎ１に、比較的滑り易い記録材Ｓが供給され、この滑り易い記録材Ｓの介在によって、駆動側の加圧ローラ１２０と記録材Ｓとの間および／または記録材Ｓと従動側の定着ベルト１１０との間でスリップが生じそうになったとしても、前記高グリップ部Ｇの作用によって駆動側の加圧ローラ１２０に対する従動側の定着ベルト１１０の従動性が向上し、定着ベルト１１０と加圧ローラ１２０とが略同一の周速で回転することとなる。このため、上記スリップが防止され（少なくとも著しく生じ難くなり）、結果として安定した定着動作がなされることとなる。したがってまた、記録材Ｓ上のトナー画像に擦れが生じにくくなって画像乱れがほとんど生じなくなる。
しかも、前記高グリップ部は、定着ベルト１１０の両端部に、テープ状の高グリップ部材Ｇを巻き付けて固着するだけで構成することができるので、例えばベルト１１０の端部にリング状の高グリップ部材（図示せず）を嵌め合わせて固着したり、ベルト１１０の端部自体を、これが高グリップ部となるように加工したりする場合に比べて定着ベルトの製造（したがって定着器の製造）が簡単になる。
（ｂ）テープ状の高グリップ部材Ｇの巻き付け始端部Ｇ１と終端部Ｇ２とが重なり合っていないので、さらに次のような作用効果が得られる。
すなわち、先に図４（ｂ）を参照して説明したように、テープ状の高グリップ部材Ｇの巻き付け始端部Ｇ１と終端部Ｇ２とが重なり合っていたとすると、その重畳部分Ｇ３が厚くなるため、この重畳部分Ｇ３が回転体である加圧ローラ１２０と圧接している時期とそれ以外の時期とで、従動側の定着ベルト１１０に速度変動が生じるおそれがある。
また、重畳部分Ｇ３が加圧ローラ１２０に圧接した際には、前記重畳部分Ｇ３と対向する部位において加圧ローラ１２０に応力が集中することとなるので、加圧ローラ１２０の耐久性が低下してしまうおそれがある。
これに対し、この実施の形態のベルト定着器１００によれば、前記テープ状の高グリップ部材Ｇの巻き付け始端部Ｇ１と終端部Ｇ２とが重なり合ってはいないので、従動側の定着ベルト１１０に速度変動が生じ難くなるとともに、加圧ローラ１２０に応力が集中し難くなって、加圧ローラ１２０の耐久性も低下し難くなる。
（ｃ）定着ベルト１１０の表面に離型オイルを塗布するオイル塗布手段１５０が設けられているので、オフセット現象が生じ難くなる。
前述したように、定着ベルト１１０の表面に離型オイルが塗布される構成とすると、このオイルが定着ベルト１１０と加圧ローラ１２０との圧接部Ｎの端部に徐々に侵入して行くこととなるが、この実施の形態によれば、定着ベルト１１０の両端部にテープ状の高グリップ部材Ｇが設けられているので、上記スリップは生じ難くなる。
しかしながら、オイル塗布ローラ１５０によるオイル塗布幅は、表層１１３の幅すなわち通紙領域幅（記録材Ｓの幅）よりも小さくすることが望ましい。
【００１７】
＜第２の実施の形態＞
図５は本発明に係るベルト定着器の第２の実施の形態の要部を示す図で、（ａ）は定着ベルト１１０の部分正面図、（ｂ）はテープ状の高グリップ部材Ｇの展開図である。図５において、上記第１の実施の形態と同一部分ないし相当する部分には同一の符号を付してある。
この実施の形態が上記第１の実施の形態と異なる点は、テープ状の高グリップ部材Ｇの巻き付け始端部Ｇ１と終端部Ｇ２とが、相対向して傾斜している点にあり、その他の点に変わりはない。すなわち、この実施の形態におけるテープ状の高グリップ部材Ｇの巻き付け始端部Ｇ１および終端部Ｇ２は加圧ローラ１２０の軸線方向と平行とはなっていないし、定着ベルト１１０の循環方向に関しても傾斜している。
この実施の形態によれば、上記第１の実施の形態により得られる作用効果に加え、さらに次のような作用効果が得られる。
すなわち、仮に、テープ状の高グリップ部材Ｇの巻き付け始端部Ｇ１と終端部Ｇ２とが傾斜（例えばベルト１１０の幅方向ないし加圧ローラ１２０の軸線方向に対して傾斜）していないとすると、前記始端部Ｇ１と終端部Ｇ２との間に形成されている隙間Ｌ部分が加圧ローラ１２０と圧接している時期とそれ以外の時期とで、従動側の定着ベルト１１０に速度変動が生じるおそれがある。例えば、仮に上記第１の実施の形態にける前述した隙間Ｌが、定着ベルト１１０と加圧ローラ１２０との圧接部Ｎの周方向長さよりも長くなっているとすると、上記速度変動が生じるおそれは大きくなる。
これに対し、この第２の実施の形態によれば、テープ状の高グリップ部材Ｇの巻き付け始端部Ｇ１と終端部Ｇ２とが、相対向して傾斜しているので、従動側の定着ベルト１１０に速度変動が生じ難くなる。
【００１８】
＜第３の実施の形態＞
図６（ａ）は本発明に係るベルト定着器の第３の実施の形態の要部を示す図で、定着ベルト１１０の部分省略断面図（図５におけるＶＩａ−ＶＩａ断面図）である。同図において、上記第１の実施の形態と同一部分ないし相当する部分には同一の符号を付してある。
この実施の形態の特徴は、テープ状の高グリップ部材Ｇが、布で構成されている点にある。
ここでいう布は、横糸１１４ａと縦糸１１４ｂとで織るまたは編んだものであり、目の細かな網体も含む。
糸体（横糸および縦糸）１１４は、図６（ｂ）に示すように単線（例えばいわゆるモノフィラメント）で構成してもよいし、図６（ｃ）に示すように複数本の細線１１４ｃの集合体（例えばいわゆるマルチフィラメント）で構成してもよい。いずれにしても、糸体１１４の材料としては、アラミド、ポリイミド、ガラス繊維、ＰＥＴ（ポリエチレンテレフタレート）等を用いることができる
図６（ｂ）に示すように糸体１１４を単線で構成した布の場合でも、糸体１１４同士の隙間Ｃ１にオイルが保持され得るので、この布はオイル吸収性を有することとなるが、図６（ｃ）に示すように糸体１１４を複数本の細線の集合体で構成すると、糸体１１４自体の内部にもオイルが吸収されることとなるので、オイル吸収性を高めるには糸体１１４を複数本の細線の集合体で構成することが望ましい。少なくとも横糸１１４ａ、縦糸１１４ｂのうちいずれか一方は、複数本の細線の集合体で構成することが望ましい。
なお、１１５はテープ状の高グリップ部材Ｇをベルト基体１１２に固着している接着層（例えば接着剤）である。
この実施の形態によれば、上記第１または第２の実施の形態により得られる作用効果に加え、さらに次のような作用効果が得られる。
すなわち、テープ状の高グリップ部材Ｇが布で構成されているので、その高グリップ部材の表面Ｇ４は、布を形成する糸体（織られまたは編まれ等した糸体）１１４によって細かな凹凸状となり、この凹凸は前記表面Ｇ４に略均一に広がった状態となる。
したがって、定着ベルト１１０の両端部１１２ｂにおける駆動伝達で発生する振動および速度変動が非常に少なくなり、結果としてスムーズな駆動伝達がなされることとなる。
また、前記凹凸は、糸体１１４で形成されるので、その凸部は丸みをおびている。したがって、加圧ローラ１２０における応力集中が軽減され、加圧ローラ１２０の耐久性が向上することとなる。
さらに、テープ状の高グリップ部材を、例えば凹凸を有するゴム部材等で構成した場合に比べて、強度的（特に剪断力に対する強度）にも優れたものとなる。すなわち、高グリップ部材Ｇが例えばフィルムやゴム部材等で構成されている場合には、その端縁部に剪断力が加わると、先ず、端縁部にクラックが入り、次いでこれが急速に伝播拡大して裂けてしまうが、高グリップ部材が布で構成されている場合には、端縁部の繊維（糸体）１１４にクラックが入ってこれが破断しても、この破断が伝播するということがなく、１本の繊維破断にとどまることとなる。
したがってまた、例えば、定着ベルト１１０の蛇行を、定着ベルト１１０が張架されるローラのフランジ（例えば図２に示す加熱ローラ１４０のガイドリング１４５）の内側面（１４５ａ）にベルトの端縁部を当接させて規制しようとする場合には、ベルトの端縁部に作用する剪断力が大きなものとなるが、定着ベルト１１０の両端部に布で構成された高グリップ部材Ｇが設けられていると、高グリップ部材Ｇの破断が生じ難くなるとともに、ベルト１１０全体への破断の伝播も生じ難くなる。
【００１９】
＜第４の実施の形態＞
図７は本発明に係るベルト定着器の第４の実施の形態の要部を示す図で、（ａ）は定着ベルト１１０の部分省略断面図（図５におけるＶＩａ−ＶＩａ断面図）、（ｂ）は図（ａ）の部分拡大図である。同図において、上記第１〜第３の実施の形態と同一部分ないし相当する部分には同一の符号を付してある。
この実施の形態の特徴は、テープ状の高グリップ部材Ｇが、オイル吸収性を有している点にある。
具体的には、テープ状の高グリップ部材Ｇをノーメック不織布で構成してある。
この実施の形態によれば、上記第１または第２の実施の形態により得られる作用効果に加え、さらに次のような作用効果が得られる。
前述したように、定着ベルト１１０の表面に離型オイルが塗布される構成とすると、このオイルが定着ベルト１１０と加圧ローラ１２０との圧接部Ｎの端部Ｎ２（図２参照）に徐々に侵入して行くこととなるが、この実施の形態によれば、定着ベルト１１０の両端部に、テープ状の高グリップ部材Ｇが巻き付けられて固着されているとともに、このテープ状の高グリップ部材Ｇがオイル吸収性を有しているので、前記圧接部の端部Ｎ２に侵入していったオイルは、テープ状の高グリップ部材Ｇによって吸収されることとなる。
したがって、定着ベルト１１両端部の表面すなわちテープ状の高グリップ部材Ｇの表面Ｇ４に存在するオイルの量は僅かなものとなり、結果として圧接部両端Ｎ２におけるグリップ力が確保され、上記スリップが防止されて（少なくとも著しく生じ難くなって）、安定した定着動作がなされることとなる。
すなわち、この実施の形態によれば、定着ベルト１１０の表面に離型オイルを塗布するものであるにもかかわらず、安定した定着動作を得ることが可能となる。
なお、この作用効果は、布もオイル吸収性を有していることから、上記第３の実施の形態によっても得られる。
【００２０】
＜第５の実施の形態＞
図８は本発明に係るベルト定着器の第５の実施の形態の要部を示す図で、（ａ）は定着ベルト１１０部分平面図、（ｂ）（ｃ）はそれぞれ図（ａ）におけるｂ−ｂ断面図（図５におけるＶＩａ−ＶＩａ断面図）である。同図において、上記第１〜第４の実施の形態と同一部分ないし相当する部分には同一の符号を付してある。
この実施の形態の特徴は、テープ状の高グリップ部材Ｇが、オイル吸収性およびベルト周方向（図８（ａ）または図５において上下方向）へのオイル流動性を有する材料で構成されている点にある。
具体的には、図（ａ）（ｂ）に示すように、テープ状の高グリップ部材Ｇを、ベルト面と直交する方向（図（ｂ）において上下方向）、横方向（図（ａ）において左右方向）、および縦方向（図（ａ）において上下方向）に伸びる微細な空隙Ｃ２を有する合成樹脂製の耐熱テープで構成する。または、図（ｃ）に示すように、テープ状の高グリップ部材Ｇを連泡多孔質材料（例えばシリコーン製スポンジ）で構成する。図（ｃ）において連泡孔部をＣ３で示してある。
この実施の形態によれば、上記第１〜第４の実施の形態により得られる作用効果に加え、さらに次のような作用効果が得られる。
すなわち、テープ状の高グリップ部材Ｇがベルト周方向へのオイル流動性を有する材料で構成されているので、仮に高グリップ部材Ｇがオイルで飽和状態となったとしても、この高グリップ部材Ｇ内に吸収されたオイルは、前記圧接部Ｎ２においては、その圧接力によって図（ａ）に矢印Ｙ１，Ｙ２で示すようにベルト周方向において当該圧接部Ｎ２以外の部位へと排除されることとなる。
したがって、仮に高グリップ部材Ｇがオイルで飽和状態となったとしても、圧接部Ｎ２においては、定着ベルト両端部の表面すなわちテープ状の高グリップ部材Ｇの表面Ｇ４に存在するオイルの量が僅かなものとなり、結果として圧接部両端Ｎ２におけるグリップ力が確保され、上記スリップが防止されて（少なくとも著しく生じ難くなって）、安定した定着動作がなされることとなる。
なお、この作用効果は、布（不織布を含む）もオイル吸収性およびベルト周方向へのオイル流動性を有していることから、上記第３、第４の実施の形態によっても得られる。
【００２１】
＜第６の実施の形態＞
図９、図１０は本発明に係るベルト定着器の第６の実施の形態の要部を示す図である。これらの図において、上記第１〜第５の実施の形態と同一部分ないし相当する部分には同一の符号を付してある。
この実施の形態の特徴は、テープ状の高グリップ部材Ｇが、オイル通過性を有しており、かつオイル吸収性を有する接着層１１６を介してベルトの両端部１１２ｂに固着されている点にある。
具体的には、例えば、図９（ａ）（ｂ）に示すように、布からなるテープ状の高グリップ部材Ｇを、オイル吸収性を有する接着層（例えばシリコーンゴム層）１１６を介してベルトの両端部１１２ｂに固着する。
または、図１０（ａ）に示すように、微細な空隙Ｃ２を有する合成樹脂製の耐熱テープ（図８（ａ）（ｂ）に示したテープ）からなる高グリップ部材Ｇを、上記接着層１１６を介してベルトの両端部１１２ｂに固着する。
あるいはまた、図１０（ｂ）（ｃ）に示すように、多数の貫通孔Ｃ４を有する合成樹脂製の耐熱テープからなる高グリップ部材Ｇを、上記接着層１１６を介してベルトの両端部１１２ｂに固着する。
なお、図７に示した不織布、あるいは図８（ｃ）に示した連泡多孔質材料を上記接着層１１６を介してベルトの両端部１１２ｂに固着してもよい。
この実施の形態によれば、上記第１または第２の実施の形態により得られる作用効果に加え、さらに次のような作用効果が得られる。
前述したように、定着ベルト１１０の表面に離型オイルが塗布される構成とすると、このオイルが定着ベルト１１０と加圧ローラ１２０との圧接部Ｎの端部Ｎ２（図２参照）に徐々に侵入して行くこととなるが、この実施の形態によれば、定着ベルト１１０の両端部に、テープ状の高グリップ部材Ｇが巻き付けられて固着されているとともに、このテープ状の高グリップ部材Ｇがオイル通過性を有しており、かつオイル吸収性を有する接着層１１６を介してベルト１１０の両端部１１２に固着されているいるので、圧接部Ｎの端部Ｎ２に侵入していったオイルは、テープ状の高グリップ部材Ｇを経て前記接着層１１６によって吸収されることとなる。
したがって、定着ベルト両端部の表面Ｇ４に存在するオイルの量は僅かなものとなり、結果として圧接部両端におけるグリップ力が確保され、上記スリップが防止されて（少なくとも著しく生じ難くなって）、安定した定着動作がなされることとなる。
すなわち、この実施の形態によっても、定着ベルト１１０の表面に離型オイルを塗布するものであるにもかかわらず、安定した定着動作を得ることが可能となる。
【００２２】
【実施例】
さらなる具体例について説明する。
（定着ベルト１１０に関し）
構造はシームレスベルトとし、ベルト基体１１２は導電性を有するポリイミドからなる無端ベルト状シートで構成する。ベルト基体１１２の厚さは１５０μｍ程度とする。
ベルト基体１１２の幅は、３９２ｍｍ程度とし、その中央部にのみシリコーンゴムを２００μｍ程度の厚さでコーティングして表層１１３を形成し、両端部に幅２７ｍｍ程度の露出部１１２ｂを形成する。
ベルト基体１１２の内径はφ６０ｍｍ程度とする。
【００２３】
（加圧ローラ１２０に関し）
構造は両端部に中空軸部１２５（図２参照）を有する鉄（ＳＵＭ２４）製の外径φ３２ｍｍ程度、内径φ２２程度のパイプ部１２１の外周面に弾性層１２２としてシリコーンゴムを、さらにその外周面に表面層１２２ａとしてフッ素樹脂を被覆した構造とする。
弾性層１２２のゴム硬度はＪＩＳ−Ａ２０°程度とし、層厚は１．５ｍｍ程度とする。
表面層１２２ａは、フッ素ラテックス塗料を塗布した後、熱硬化させたフッ素ラテックス被膜とする。層厚は６０μｍ程度とする。
中空部に設けるハロゲンランプ１２３の発熱量は１００Ｖで２３０Ｗ程度とする。
加圧ローラ１２０の外径は３５．２ｍｍ程度とする。
軸部１２４を含むローラ幅（軸線方向長さ）は４４４．３ｍｍ程度とする。
バックアップローラ１３０に対する押圧荷重は軸部１２５，１２５にかけ、片側６０Ｋｇ（両端総荷重１２０Ｋｇ）程度とする。尚、バックアップローラ１３０及び加圧ローラ１２０はフレーム１０１に定位置固定（軸間距離一定）され、特別の押圧手段は設けない。押圧荷重は、両ローラ１２０，１３０の外径の和よりも軸間距離が短くなるようにフレーム１０１に両ローラ１２０，１３０が固定されることにより、両ローラが互いに食い込むことにより生じる。ローラへの荷重作用位置はフレームへの固定位置であり、軸１２４の軸受であるベアリング（図示せず）の位置となる。
定着ベルト１１０との圧接部Ｎの周方向長さＬ２は１１ｍｍ程度とする。
【００２４】
（バックアップローラ１３０に関し）
構造は両端部にφ１０程度の軸部１３１ａを有するφ２６程度の中実の鉄（ＳＵＭ２４）製ローラの外周面に弾性層１３２としてシリコーンゴムを、さらにその外周面に表面層１３２ａとしてＰＦＡ（４弗化エチレン・パーフルオロアルコキシエチレン共重合体）を被覆したものとする。
バックアップローラ１３０の外径は３８．５ｍｍ程度とし、軸部１３１ａを除くローラ幅は３９８ｍｍ程度とする。
弾性層１３２の層厚は６．２５ｍｍ程度とする。ゴム硬度はＪＩＳ−Ａ１０゜程度とする。
表面層１３２ａは熱収縮性ＰＦＡ樹脂チューブを用いる。被覆後の層厚は１１０μｍ程度とする。
【００２５】
（加熱ローラ１４０に関し）
構造は両端部にφ２０程度の軸部１４４を有する、外径φ２８程度、肉厚３ｍｍ程度のパイプ状アルミニウム製ローラとする。
軸部１４４を除くローラ幅は３９３ｍｍ程度とする。
ローラ中空部に配置される発熱手段１４１はハロゲンランプとする。その発熱量は１００Ｖで６９５Ｗ程度とする。
【００２６】
（オイル塗布ローラ１５０に関し）
構造はφ１０ｍｍ程度の鉄（ＳＵＭ２４）製シャフト１５１上に、オイル含浸層１５２ａとオイル供給層１５２ｂとからなるオイル保持層１５２、および表面層１５３を順に積層した構造とする。
オイル塗布ローラ１５０の外径は３６ｍｍ程度、軸端部を含まないローラ幅は３３７〜３９２ｍｍ程度、望ましくは高グリップ部にかからず通紙範囲をカバーする範囲とする。具体的には３３７ｍｍ程度とする。
オイル含浸層１５２ａは、スポンジで構成し、厚さは１１ｍｍ程度とする。
オイル供給層１５２ｂはフェルトで構成し、層厚は２ｍｍ程度とする。
表面層１５３は、多孔質ＰＴＦＥ（４弗化エチレン重合体）樹脂で構成し、層厚は１２０μｍ程度とする。
離型剤の材質はジメチルシリコーンオイルとする。粘度（２０°Ｃでの）は、１００センチストークス程度とし、含浸させる総量は１４０ｇ程度とする。
定着ベルト１１０への当接荷重（押圧荷重）は総荷重０．５以上２Ｋｇ以下の範囲で適宜設定し得るが、より好ましくは１Ｋｇ程度とする。
オイル塗布ローラ１５０と定着ベルト１１０との当接幅（ベルト移動方向に関する長さ）は３ｍｍ程度とする。
【００２７】
以上、本発明の実施の形態および実施例について説明したが、本発明は上記の実施の形態または実施例に限定されるものではなく、本発明の要旨の範囲内において適宜変形実施可能である。
例えば、請求項１〜４記載の定着器に関しては、オイル塗布手段は設けなくてもかまわない。
【００２８】
【発明の効果】
請求項１〜７記載のいずれのベルト定着器によっても、安定した定着動作がなされることとなる。しかも、定着ベルトの製造が簡単になる。
さらに、
請求項２記載のベルト定着器によれば、従動側の定着ベルト（または回転体）に速度変動が生じ難くなるとともに、回転体に応力が集中し難くなって、回転体の耐久性も低下し難くなる。
請求項３記載のベルト定着器によれば、従動側の定着ベルト（または回転体）に速度変動が生じ難くなる。
請求項４記載のベルト定着器によれば、スムーズな駆動伝達がなされるとともに、回転体の耐久性が向上し、さらに、テープ状の高グリップ部材の強度が優れたものとなる。
請求項５〜７記載のいずれのベルト定着器によっても、定着ベルトの表面に離型オイルを塗布するものであるにもかかわらず、安定した定着動作を得ることが可能となる。
【００２９】
【図面の簡単な説明】
【図１】本発明に係るベルト定着器の第１の実施の形態を示す概略側面図。
【図２】主要部の概略斜視図。
【図３】（ａ）は定着ベルト１１０の部分斜視図、（ｂ）はテープ状の高グリップ部材の正面図。
【図４】（ａ）は図３におけるＩＶａ−ＩＶａ断面図、（ｂ）は巻き付け始端部Ｇ１と終端部Ｇ２とが重なり合った状態の断面図。
【図５】本発明に係るベルト定着器の第２の実施の形態の要部を示す図で、（ａ）は定着ベルト１１０の部分正面図、（ｂ）はテープ状の高グリップ部材Ｇの展開図。
【図６】（ａ）は本発明に係るベルト定着器の第３の実施の形態の要部を示す図で、定着ベルト１１０の部分省略断面図（図５におけるＶＩａ−ＶＩａ断面図）である。（ｂ）（ｃ）はそれぞれ図（ａ）の部分拡大図で、（ｂ）は糸体１１４を単線で構成した場合を、（ｃ）は糸体１１４を複数本の細線１１４ｃの集合体で構成した場合の図である。
【図７】本発明に係るベルト定着器の第４の実施の形態の要部を示す図で、（ａ）は定着ベルト１１０の部分省略断面図（図５におけるＶＩａ−ＶＩａ断面図）、（ｂ）は図（ａ）の部分拡大図である。
【図８】本発明に係るベルト定着器の第５の実施の形態の要部を示す図で、（ａ）は定着ベルト１１０部分平面図、（ｂ）（ｃ）はそれぞれ図（ａ）におけるｂ−ｂ断面図（図５におけるＶＩａ−ＶＩａ断面図）である。
【図９】本発明に係るベルト定着器の第６の実施の形態の要部の第１例を示す図で、（ａ）は定着ベルト１１０部分平面図、（ｂ）は図（ａ）におけるｂ−ｂ断面図である。
【図１０】（ａ）は本発明に係るベルト定着器の第６の実施の形態の要部の第２例を示す断面図（図９（ａ）におけるｂ−ｂ断面図に相当する図）。（ｂ）（ｃ）は本発明に係るベルト定着器の第６の実施の形態の要部の第３例を示す図で、（ｂ）は定着ベルト１１０部分平面図、（ｃ）は図（ｂ）におけるｃ−ｃ断面図である。
【図１１】従来技術の説明図。
【図１２】従来技術の説明図。
【符号の説明】
Ｓ    記録材
１００    定着器
１１０    定着ベルト
１１２    ベルト基体
１１２ａ  ベルト基体の幅方向における中央部
１１２ｂ  ベルト基体の端部
１１３    表層
Ｇ    テープ状の高グリップ部材
Ｇ１  巻き付け始端部
Ｇ２  巻き付け終端部
１１５，１１６    接着層
１２０    加圧ローラ（回転体）
１５０    オイルローラ（オイル塗布手段）
Ｎ    圧接部
Ｎ１  圧接部の中央部
Ｎ２  圧接部の端部
【図１】
0004223633.tif 000002
【図２】
0004223633.tif 000003
【図３】
0004223633.tif 000004
【図４】
0004223633.tif 000005
【図５】
0004223633.tif 000006
【図６】
0004223633.tif 000007
【図７】
0004223633.tif 000008
【図８】
0004223633.tif 000009
【図９】
0004223633.tif 000010
【図１０】
0004223633.tif 000011
【図１１】
0004223633.tif 000012
【図１２】
0004223633.tif 000013